(57)【要約】【課題】携帯電話端末と通話子器との間の通話時に居住者への予告無しに通話が途切れるのを防止することのできるインターホンシステムを提供する。【解決手段】ドアホン子器２と、インターホン親機１とを備え、インターホン親機１は、携帯電話端末３との間で無線通信する機能を有し、ドアホン子器２とインターホン親機１との間、又はインターホン親機１を介したドアホン子器２と携帯電話端末３との間で音声信号を授受することによりインターホン通話が可能なものであって、インターホン親機１の親機制御部１７は、通話を開始した時点から計時を開始するタイマ機能１７ａを有するとともに、タイマ機能１７ａにより一定時間が計時されると通話を切断し、親機制御部１７は、タイマ機能１７ａにより一定時間が計時される前に、携帯電話端末３に通話が切断される旨を予告する切断予告音を鳴動させる切断予告信号を送信する。【選択図】図１
2011199641.tif 000002
【特許請求の範囲】
【請求項１】
住戸外に設置される通話子器と、住戸内に設置されるとともに信号線を介して前記通話子器と接続されるインターホン親機とを備え、前記インターホン親機は、携帯電話端末との間で無線通信する機能を有し、前記通話子器と前記インターホン親機との間、又は前記インターホン親機を介した前記通話子器と前記携帯電話端末との間で音声信号を授受することによりインターホン通話が可能なインターホンシステムにおいて、前記インターホン親機は、通話を開始した時点から計時を開始する計時手段と、前記計時手段により一定時間が計時されると通話を切断する通話切断手段とを備え、前記インターホン親機は、前記計時手段により前記一定時間が計時される前に、前記携帯電話端末に通話が切断される旨を予告する切断予告音を鳴動させる切断予告信号を送信することを特徴とするインターホンシステム。
【発明の詳細な説明】
【技術分野】
【０００１】
本発明は、インターホンシステムに関する。
【背景技術】
【０００２】
従来から、住戸外に設置される通話子器と、住戸内に設置されるとともに信号線を介して通話子器と接続されるインターホン親機とを備えたインターホンシステムが種々提供されている。このようなインターホンシステムでは、信号線を介して音声信号を授受することによりインターホン親機と通話子器との間でインターホン通話が可能となっている。通話子器としては、住戸の外玄関に設置されるドアホン子器や、集合住宅の共用玄関に設置されるロビーインターホン等がある。ここで、インターホン親機だけでなく、加入者電話回線に接続された一般の電話機でも通話子器との通話を可能としたインターホンシステムが提供されている。また、一般の電話機にもワイヤレス子機を備えたものが広く普及しており、インターホン親機を介した通話子器との通話と電話機を介した外線通話の双方が可能なワイヤレス子機を備えたインターホンシステムも提供されている。
【０００３】
更に、近年では、携帯電話の契約数が加入者電話回線の契約数を追い越し、加入者電話回線を契約せずに携帯電話で自宅からの外線通話を行う家庭が増加してきている。このような加入者電話回線と契約していない家庭でも通話子器との通話ができるように、無線インタフェース装置を介して携帯電話端末と通話子器との間、並びにインターホン親機と携帯電話端末との間で通話を可能としたインターホンシステムが提供されている（例えば、特許文献１参照）。
【先行技術文献】
【特許文献】
【０００４】
【特許文献１】特開２００８−１３５８８５号公報
【発明の概要】
【発明が解決しようとする課題】
【０００５】
ところで、上述のようなインターホンシステムでは、通話が終わった後に終話操作をし忘れた場合に、室内の音声が外に漏れてしまうのを防ぐために、通常、通話路が形成されてから一定時間が経過すると自動的に通話が終了するように構成されている。ここで、インターホン親機と通話子器との間で通話を行う場合、通話終了時間を迎えたときに通話子器からインターホン親機に通話が終了する旨を知らせる映像情報を送信するようになっている。そして、インターホン親機に設けられた画面において当該映像情報を目視することで、通話中の居住者は暫くすると通話が終了することを事前に確認することができる。このため、居住者は予告無しに通話が途切れることによる不快感を覚えることがない。
【０００６】
しかしながら、特許文献１記載の従来例のように、携帯電話端末と通話子器との間で通話を行う場合には、居住者は携帯電話端末を自身の耳元に当てて通話を行っているため、通話子器からの映像情報が画面に表示されても居住者は目視することができない。このため、居住者からすれば予告無しに通話が途切れることとなり、不快感を覚える虞があった。
【０００７】
本発明は、上記の点に鑑みて為されたもので、携帯電話端末と通話子器との間の通話時に居住者への予告無しに通話が途切れるのを防止することのできるインターホンシステムを提供することを目的とする。
【課題を解決するための手段】
【０００８】
第１の発明は、上記目的を達成するために、住戸外に設置される通話子器と、住戸内に設置されるとともに信号線を介して前記通話子器と接続されるインターホン親機とを備え、前記インターホン親機は、携帯電話端末との間で無線通信する機能を有し、前記通話子器と前記インターホン親機との間、又は前記インターホン親機を介した前記通話子器と前記携帯電話端末との間で音声信号を授受することによりインターホン通話が可能なインターホンシステムにおいて、前記インターホン親機は、通話を開始した時点から計時を開始する計時手段と、前記計時手段により一定時間が計時されると通話を切断する通話切断手段とを備え、前記インターホン親機は、前記計時手段により前記一定時間が計時される前に、前記携帯電話端末に通話が切断される旨を予告する切断予告音を鳴動させる切断予告信号を送信することを特徴とする。
【発明の効果】
【０００９】
本発明は、携帯電話端末と通話子器との通話時において、通話が切断する前に通話が切断される旨を知らせる切断予告音を携帯電話端末において鳴動させるので、通話中の居住者は画面を見ることなく通話が暫くすると切断されることを事前に確認することができる。したがって、携帯電話端末と通話子器との間の通話時に居住者への予告無しに通話が途切れるのを防止することができる。
【図面の簡単な説明】
【００１０】
【図１】本発明に係るインターホンシステムの実施形態を示す図で、（ａ）はシステム構成図で、（ｂ）は携帯電話端末が受信する音声信号の概略図である。
【図２】同上の通話子器と携帯電話端末との間の通話を説明するためのシーケンス図である。
【発明を実施するための形態】
【００１１】
以下、本発明に係るインターホンシステムの実施形態について図面を用いて説明する。本実施形態は、図１（ａ）に示すように、住戸外に設置されるドアホン子器（通話子器）２と、住戸内に設置されるとともに信号線Ｌｓを介してドアホン子器２と接続されるインターホン親機１とを備える。尚、インターホン親機１は、携帯電話端末３との間で無線通信する機能を有する。
【００１２】
インターホン親機１は、信号線Ｌｓを介してドアホン子器２より周波数分割多重伝送される映像信号及び音声信号を分離するとともに、ドアホン子器２に対して信号線Ｌｓを介して音声信号を伝送する多重分離部１０を備える。また、インターホン親機１は、多重分離部１０で分離された映像信号を復調する映像処理部１１と、液晶表示器やＣＲＴなどの表示デバイスから成り、復調された映像信号に基づく映像を表示する映像表示部１２とを備える。また、インターホン親機１は、マイクロホン１３並びにスピーカ１４と、マイクロホン１３の出力を増幅するマイクロホンアンプ、スピーカ１４への入力を増幅するスピーカアンプを有する音声入出力部１５とを備える。更に、インターホン親機１は、応答釦（図示せず）等の操作釦を具備して操作入力を受け付ける操作入力受付部１６と、ＣＰＵを主構成要素として各部の制御を行う親機制御部１７と、信号線Ｌｓを介してドアホン子器２に直流電源電圧を供給する給電部１８とを備える。
【００１３】
また、インターホン親機１は、携帯電話端末３との間で無線通信を行う無線インタフェース部４を備える。無線インタフェース部４は、不揮発性の半導体メモリから成る記憶部４０と、ＣＰＵを主構成要素として各部の制御を行う無線制御部４１と、携帯電話端末３との間で無線通信を行う無線通信部４２とを備える。無線通信部４２は、無線ＬＡＮに関する規格（例えば、IEEE 802.11諸規格）に準拠した無線通信を行うものである。尚、記憶部４０には無線インタフェース部４に割り当てられた識別符号（プライベートＩＰアドレス）とともに無線通信の相手となる携帯電話端末３の識別符号（プライベートＩＰアドレス）が予め登録されている。このプライベートＩＰアドレスを送信先のアドレスに指定することで、特定の携帯電話端末３との間でデータ（パケット）を送受信することができる。
【００１４】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３とを備える。また、ドアホン子器２は、撮像部２３から出力される映像信号を変調して通話処理部２２から出力される音声信号と周波数分割多重するとともに、信号線Ｌｓを介してインターホン親機１から伝送される音声信号を分離する多重分離部２４を備える。尚、ドアホン子器２の構成は従来周知であるので、ここでは詳細な説明を省略する。
【００１５】
携帯電話端末３は、例えばＷ−ＣＤＭＡ（Wideband Code Division Multiple Access）方式の第３世代携帯電話端末である。携帯電話端末３は、マイクロホン３０並びにスピーカ３１と、携帯電話事業者の基地局と無線通信するための第１の無線部３２と、無線ＬＡＮに関する規格（例えば、IEEE 802.11諸規格）に準拠した無線通信を行うための第２の無線部３３とを備える。また、携帯電話端末３は、液晶表示器などの表示デバイスを有するモニタ部３４と、テンキー等の操作釦を具備して操作入力を受け付ける操作入力受付部３５と、ＣＰＵを主構成要素として各部の制御を行う端末制御部３６とを備える。そして、携帯電話端末３は、第１の無線部３２により携帯電話事業者の携帯電話網を介して通話する携帯電話機能、並びに第２の無線部３３により携帯電話網を介さずに無線通信する無線通信機能（無線ＬＡＮ機能）を有している。尚、携帯電話端末３の携帯電話機能、並びにIEEE 802.11諸規格に準拠した無線ＬＡＮ機能については従来周知であるので、ここでは詳細な説明を省略する。
【００１６】
以下、本実施形態の動作について説明する。先ず、ドアホン子器２とインターホン親機１との間で通話する場合について説明する。来訪者がドアホン子器２の呼出釦を押操作すると、信号線Ｌｓを介してインターホン親機１に呼出信号が伝送される。呼出信号を受信したインターホン親機１では、親機制御部１７により音声入出力部１５を介してスピーカ１４から呼出音を鳴動させるとともに、給電部１８により信号線Ｌｓを介して電源電圧をドアホン子器２の撮像部２３に供給して起動させる。この撮像部２３で撮像された映像（動画）をインターホン親機１の映像表示部１２に表示させる。そして、映像表示部１２に表示された映像で来訪者を確認した居住者がインターホン親機１の操作入力受付部１６に設けられた応答釦を押操作すれば、親機制御部１７によりドアホン子器２との間に信号線Ｌｓを介した通話路が形成される。而して、インターホン親機１とドアホン子器２との間において通話が可能になるとともに、通話中においてはインターホン親機１の映像表示部１２にドアホン子器２から伝送される映像を表示させることが可能になる。
【００１７】
ここで、親機制御部１７は、インターホン親機１とドアホン子器２との間の通話路が形成された時点から計時を開始する計時手段であるタイマ機能１７ａを有する（図１（ａ）参照）。このタイマ機能１７ａにおいて一定時間（ここでは６０秒）が計時される、即ち、通話路が形成されてから一定時間が経過すると、親機制御部１７によりインターホン親機１とドアホン子器２との間の通話路を切断し、通話が終了するようになっている。即ち、親機制御部１７が通話切断手段としての役割を果たしている。また、通話路が形成されてから一定時間が経過していない場合においても、インターホン親機１の応答釦が再度押操作されると通話が終了する。尚、タイマ機能１７ａは、通話が終了した時点で計時がリセットされる。
【００１８】
続いて、ドアホン子器２と携帯電話端末３との間で通話する場合について図２を用いて説明する。呼出釦が押操作されてドアホン子器２から信号線Ｌｓを介して呼出信号が送信されると、インターホン親機１の親機制御部１７が無線インタフェース部４に呼出信号を伝送するとともに音声入出力部１５を介してスピーカ１４から呼出音を鳴動させる。無線インタフェース部４では、無線制御部４１が呼出信号に応じて無線通信部４２より携帯電話端末３に対して呼出通知を行う。携帯電話端末３では、無線インタフェース部４より送信された呼出通知を第２の無線部３３で受信すると、端末制御部３６がスピーカ３１から呼出音を鳴動させる。そして、呼出音を聞いた居住者が携帯電話端末３の操作入力受付部３５に設けられた応答釦（図示せず）を押操作すれば、端末制御部３６が第２の無線部３３より無線インタフェース部４に対して応答通知を行う。無線インタフェース部４では、無線通信部４２で受信した応答通知を無線制御部４１がインターホン親機１に伝送する。
【００１９】
インターホン親機１では、無線インタフェース部４を介して携帯電話端末３から送信された応答通知を受信すると、親機制御部１７がドアホン子器２との間に信号線Ｌｓを介した通話路を形成するとともに、無線インタフェース部４を介して携帯電話端末３に対して通話許可通知を行う。このとき、親機制御部１７は、音声入出力部１５を介したスピーカ１４による呼出音の鳴動を停止させる。携帯電話端末３では、無線インタフェース部４から送信された通話許可通知を第２の無線部３３で受信すると、端末制御部３６がスピーカ３１による呼出音の鳴動を停止させる。そして、ドアホン子器２からインターホン親機１に伝送された映像及び音声（送話音声）が親機制御部１７で各々映像データと音声データとに変換されて無線インタフェース部４に伝送され、無線通信部４２より携帯電話端末３へ送信される。
【００２０】
携帯電話端末３においては、無線インタフェース部４から送信された映像データと音声データとを第２の無線部３３で受信すると、端末制御部３６が映像データから元の映像を再構成してモニタ部３４に表示させる。また、端末制御部３６は、音声データをアナログの音声信号に変換してスピーカ３１から音声（受話音声）を鳴動させる。マイクロホン３０から入力した音声（送話音声）は、端末制御部３６で音声データに変換されて第２の無線部３３より無線インタフェース部４に送信される。無線インタフェース部４では、無線制御部４１が無線通信部４２で受信した音声データをインターホン親機１に伝送する。インターホン親機１においては、無線インタフェース部４から送信された音声データを親機制御部１７がアナログの音声信号に変換して多重分離部１０よりドアホン子器２に送信する。而して、ドアホン子器２のスピーカ２１から音声（受話音声）が鳴動され、ドアホン子器２と携帯電話端末３との間で通話路が形成されて通話が可能となる。
【００２１】
ここで、前述と同様に、親機制御部１７のタイマ機能１７ａは、ドアホン子器２と携帯電話端末３との間の通話路が形成された時点から計時を開始する。このタイマ機能１７ａにおいて一定時間（ここでは６０秒）が計時される、即ち、通話路が形成されてから一定時間が経過すると、親機制御部１７によりドアホン子器２と携帯電話端末３とに各々切断信号が送信される。そして、ドアホン子器２と携帯電話端末３との間の通話路が切断され、通話が終了するようになっている。また、通話路が形成されてから一定時間が経過していない場合においても、携帯電話端末３の応答釦が再度押操作されると通話が終了する。尚、タイマ機能１７ａは、通話が終了した時点で計時がリセットされる。
【００２２】
ところで、本実施形態では、図１（ａ），（ｂ）に示すように、親機制御部１７のタイマ制御部１７ａが計時を開始してから所定時間（ここでは５０秒）が経過すると、親機制御部１７は、携帯電話端末３に通話が切断される旨を予告する切断予告音を鳴動させる制御コマンドを含む切断予告信号を無線インタフェース部４を介して送信する。携帯電話端末３では、無線インタフェース部４から送信された切断予告信号を第２の無線部３３で受信すると、端末制御部３６がスピーカ３１から通話の切断を予告する切断予告音を鳴動させる。即ち、通話終了時刻よりも一定時間前に切断予告音が携帯電話端末３のスピーカ３１から鳴動される。尚、切断予告音としては、警告音であってもよいし、「まもなく通話が終了致します。」といった音声メッセージであってもよい。また、切断予告信号は、上述のように携帯電話端末３に対する制御コマンドを含むものに限定される必要は無く、切断予告音から成る音声信号であってもよい。この場合は、通話に関する音声データに割り込む形で、切断予告音の音声データがインターホン親機１の無線通信部４２から携帯電話端末３へ送信される。
【００２３】
上述のように、本実施形態では、携帯電話端末３とドアホン子器２との通話時において、通話が切断する前に通話が切断される旨を知らせる切断予告音を携帯電話端末３において鳴動させる。このため、通話中の居住者は画面（モニタ部３４）を見ることなく通話が暫くすると切断されることを事前に確認することができる。したがって、携帯電話端末３とドアホン子器２との間の通話時に居住者への予告無しに通話が途切れるのを防止することができ、居住者も不快感を覚えることがない。
【符号の説明】
【００２４】
１  インターホン親機
１７  親機制御部（通話切断手段）
１７ａ  タイマ機能（計時手段）
２  ドアホン子器（通話子器）
３  携帯電話端末
【図１】
2011199641.tif 000003
【図２】
2011199641.tif 000004